(57)【特許請求の範囲】
【請求項１】
ラベル面において、
添付される商品の精算時に読取装置によって読み取られて前記商品の値引きを行うための値引き情報を示すサービス表示を行うサービス表示部と、
当該サービス表示部を囲む外枠であり、前記ラベル面に施された光沢印刷でコピーにより再現されることを防止するコピー防止部と、
前記コピー防止部の外側の余白とする領域と、
を備えることを特徴とするサービス表示ラベル。
【請求項２】
前記コピー防止部は赤色であること、
を特徴とする請求項１に記載のサービス表示ラベル。
【請求項３】
前記サービス表示部は黄色であること、
を特徴とする請求項２に記載のサービス表示ラベル。
【請求項４】
前記コピー防止部は黄色であること、
を特徴とする請求項１に記載のサービス表示ラベル。
【請求項５】
前記サービス表示部は赤色であること、
を特徴とする請求項４に記載のサービス表示ラベル。
【発明の詳細な説明】
【技術分野】
【０００１】
本発明の実施形態は、サービス表示ラベルに関する。
【背景技術】
【０００２】
従来、スーパーマーケット等の小売店では、生鮮品の廃棄ロスを削減するために、閉店時間が近づくと商品を値引して販売することがしばしば行われている。この場合、店舗側は、値引後の特売価格や値引額、割引率等のサービス情報を表記したサービス表示ラベルを商品に貼付して、顧客に値引等のサービスが行われる商品であることを明示している。このサービス表示ラベルには、添付した商品から別の商品に付け替えるなどの不正使用を防止するための切れ込みが入れられている。
【発明の概要】
【発明が解決しようとする課題】
【０００３】
しかしながら、上述した従来技術では、カラーコピー機などによってサービス表示ラベルがコピーされた場合、そのコピーにより複製されたサービス表示ラベルの不正使用を防止することができなかった。
【課題を解決するための手段】
【０００４】
上述した課題を解決するために、実施形態のサービス表示ラベルは、ラベル面において、添付される商品の精算時に読取装置によって読み取られて前記商品の値引きを行うための値引き情報を示すサービス表示を行うサービス表示部と、当該サービス表示部を囲む外
枠であり、前記ラベル面に施された光沢印刷でコピーにより再現されることを防止するコピー防止部と、前記コピー防止部の外側の余白とする領域と、を備えることを特徴とする。
【図面の簡単な説明】
【０００５】
【図１】図１は、本実施形態にかかるサービス表示ラベルの商品に添付する前を説明する図である。
【図２】図２は、本実施形態にかかるサービス表示ラベルの商品への添付を説明する図である。
【図３】図３は、本実施形態にかかるサービス表示ラベルの表面外観図である。
【図４】図４は、変形例にかかるサービス表示ラベルの表面外観図である。
【図５】図５は、チェックアウトレーンシステムの構成を概略的に示す外観斜視図である。
【発明を実施するための形態】
【０００６】
以下に添付図面を参照して、本実施形態にかかるサービス表示ラベルを詳細に説明する。
【０００７】
図１は、本実施形態にかかるサービス表示ラベル１の商品に添付する前を説明する図である。図２は、本実施形態にかかるサービス表示ラベル１の商品３への添付を説明する図である。図１に示すように、サービス表示ラベル１は、値引後の特売価格や値引額、割引率等のサービス表示を行う粘着ラベルであり、商品に添付する前には裏面の粘着糊をゴミ等の付着から保護するために台紙２に貼り付けられている。台紙２は、基材となる紙等の表面にシリコーン樹脂等を用いた剥離層を備える。したがって、サービス表示ラベル１を台紙２に貼り付けた状態では、サービス表示ラベル１と台紙２とは剥離層を介して接触している。
【０００８】
図２に示すように、商品３に添付する際には、サービス表示ラベル１を台紙２から剥離する。サービス表示ラベル１と台紙２とは剥離層を介して接触していることから、サービス表示ラベル１は容易に台紙２から剥離できる。台紙２から剥離したサービス表示ラベル１は、粘着糊が設けられた裏面で商品３に添付される。
【０００９】
図３は、本実施形態にかかるサービス表示ラベル１の表面外観図である。図３に示すように、サービス表示ラベル１のラベル面である表面には、コピー防止領域１０、サービス表示領域１１、領域１２を備える。コピー防止領域１０は、カラーコピー機などのコピーによりサービス表示ラベル１の複製が忠実に再現されることを防止するための領域である。サービス表示領域１１は、添付される商品３の取引にかかる、上述したサービス表示を行う領域である。領域１２は、コピー防止領域１０、サービス表示領域１１以外の余白などである。
【００１０】
具体的には、コピー防止領域１０は、ラベル面にラミネートなどの光沢印刷が施された領域である。コピー防止領域１０に光沢印刷を施すことで、コピーによって複製されたサービス表示ラベルには光沢感が無くなることとなる。したがって、コピー前のサービス表示ラベルと、コピーにより複製されたサービス表示ラベルとには、忠実に再現されることのない、明確な違いが生じることから、複製されたサービス表示ラベルの不正使用を防止することができる。なお、コピー防止領域１０には、ラミネートなどの光沢印刷以外に、コピーした際に塗潰れが生じる模様が印刷されてもよいし、ホログラムが加工されてもよい。
【００１１】
また、コピー防止領域１０には、赤色又は黄色などの人の目に目立つ色を配色することが好ましい。例えば、コピー防止領域１０に黄色を配色し、サービス表示領域１１に赤色を配色（又はその逆）してよい。このように、コピー防止領域１０に赤色又は黄色を配色することで、店員は、サービス表示ラベル１の真偽を判断する際に確認するためのコピー防止領域１０を容易に見つけることができる。
【００１２】
また、サービス表示ラベル１の変形例としては、コピー防止領域と、サービス表示領域とが重複しないように、サービス表示領域以外の所定の部分にコピー防止領域を備えてもよい。図４は、変形例にかかるサービス表示ラベル１ａの表面外観図である。図４に示すように、サービス表示ラベル１ａのラベル面である表面には、コピー防止領域１０ａ、サービス表示領域１１、領域１３、領域１４を備える。コピー防止領域１０ａは、サービス表示領域１１と重複しないように、サービス表示領域１１を囲む外枠部分に設けられている。領域１３は、コピー防止領域１０ａの内側の領域でありサービス表示領域１１を有している。領域１４は、コピー防止領域１０ａの外側の領域である。このように、サービス表示領域１１以外の所定の部分（図示例ではサービス表示領域１１を囲む外枠）にコピー防止領域１０ａを設け、サービス表示領域１１とコピー防止領域１０ａとを明確に区別することで、店員は容易にサービス表示領域１１及びコピー防止領域１０ａを識別できる。
【００１３】
上述したサービス表示ラベル１、１ａは、店舗のチェックアウトレーンシステムなどに設置されたＰＯＳ（Point of Sales）端末により、商品３に添付されたバーコードや二次元コード（例えばＱＲコード（登録商標））等のコードシンボルとともに、ＣＣＤ（Charge Coupled Device）イメージセンサ等のデジタルカメラによって撮像して検出される。そして、その商品３を登録した後の精算時に、サービス表示ラベル１、１ａにサービス表示された値引等のサービスが実施されることとなる。
【００１４】
図５は、チェックアウトレーンシステム４００の構成を概略的に示す外観斜視図である。図５に示すように、チェックアウトレーンシステム４００は、商品を入れた買い物かごを戴置するためのサッカー台１００と、サッカー台１００の略中央に立設された商品コード読取装置２００と、商品コード読取装置２００と図示しない伝送路によって相互通信可能に接続されたＰＯＳ端末３００とを備えている。
【００１５】
ＰＯＳ端末３００は、客が購入する商品３の販売登録を行うものである。図５に示すように、ＰＯＳ端末３００には、キーボード３１、オペレータ用の表示器３２、客用の表示器３３、レシート印字等を行うプリンタ３４、現金等を収容するためのドロワ３５等が設けられている。キーボード３１には、商品代金の決済に必要な締めキー等が配設されている。ＰＯＳ端末３００は、この種のチェックアウトレーンシステムで標準的に使用されているＰＯＳ端末と同様の構成と機能とを備えている。
【００１６】
商品コード読取装置２００は、特に図示しないＣＰＵ（Central Processing Unit）がプログラムを実行して各部を中央制御することで、商品３に貼付されたバーコードまたは二次元コード等のコードシンボル（以下、バーコード）や、商品３に添付されたサービス表示ラベル１、１ａを、オペレータ（店員）が商品３を読取窓２１にかざした際に読み取って、その読取情報を商品３に出力するための装置である。商品コード読取装置２００は、読取窓２１と、キーボード２２と、ディスプレイ２３と、表示ＬＥＤ２４と、ブザー２５とを主に備えている。キーボード２２は、各種キーによるオペレータの操作を受け付ける。例えば、キーボード２２は、バーコードで登録不能な商品の登録を行う場合に、各種キーによる入力を受付ける。ディスプレイ２３は、登録された商品の品名や価格等を買い物客に対して表示する。表示ＬＥＤ２４は、商品に貼付されたバーコードが読み取られた場合に点灯して、バーコードが読み取られていることをオペレータに報知する。ブザー２５は、商品に貼付されたバーコードが読み取られた場合にブザー音を鳴らして、オペレータに報知する。読取窓２１が設けられた商品コード読取装置２００の内部には、白色ＬＥＤ等による光源と、ＣＣＤイメージセンサ等のデジタルカメラとが内蔵されている。
【００１７】
上述したチェックアウトレーンシステム４００において、商品コード読取装置２００では、オペレータが商品３を読取窓２１にかざした際に、光源による光で商品３に添付されたサービス表示ラベル１、１ａ等をデジタルカメラで撮像することで、サービス表示ラベル１、１ａの検出を行う。このサービス表示ラベル１、１ａを検出する際には、輝度値をもとに光源からの反射具合を検出することで、光沢印刷の有無を判別してもよい。コピー防止領域１０、１０ａに光沢印刷を施す場合は、上述した判別を行うことで、サービス表示ラベル１、１ａの真偽を商品コード読取装置２００が判別できる。例えば、光沢印刷がない場合、商品コード読取装置２００は、不正使用として検出されたサービス表示をリジェクトしてもよいし、ブザー２５により不正使用を報知してもよい。
【００１８】
なお、本実施形態では、サービス表示ラベル１の裏面に設けられた接着糊で商品に添付し、表面をラベル面とする構成を例示した。しかしながら、商品にタグ付けする場合などのように、ラベル面が表面と裏面の両面であってもよいことは、言うまでもないことである。このようにラベル面が両面である場合、上述したコピー防止領域やサービス表示領域は、表面、裏面の少なくとも一方に備えられていればよい。
【符号の説明】
【００１９】
１、１ａ  サービス表示ラベル
２  台紙
３  商品
１０、１０ａ  コピー防止領域
１１  サービス表示領域
１２、１３、１４  領域
１００  サッカー台
２００  商品コード読取装置
３００  ＰＯＳ端末
４００  チェックアウトレーンシステム
【先行技術文献】
【特許文献】
【００２０】
【特許文献１】特開２００８−１３４７３１公報
【図１】
0005161932.tif 000002
【図２】
0005161932.tif 000003
【図３】
0005161932.tif 000004
【図４】
0005161932.tif 000005
【図５】
0005161932.tif 000006